(57)【特許請求の範囲】
【請求項１】
利用者の入場を制御する自動改札機において、
利用者が所持している記録媒体に記録されている情報を読取る読取手段と、
この読取手段により前記記録媒体から再入場を許可する乗り継ぎ情報が読取れなかった場合、前記記録媒体から読取った情報に基づいて当該利用者の入場の可否を判定し、当該利用者の入場を許可すると判定した場合には前記記録媒体に入場情報を書き込む入場処理手段と、
前記読取手段により前記記録媒体から再入場を許可する乗り継ぎ情報を読取った場合、前記記録媒体から読取った前記再入場を許可する乗り継ぎ情報を含む情報に基づいて当該利用者の再入場の可否を判定し、当該利用者の再入場を許可すると判定した場合には、前記再入場の直前の入場情報を保持したままで乗り継ぎ扱いとする再入場であることを示す乗り継ぎ情報を含む再入場情報を前記記録媒体に書き込む再入場処理手段と、
を具備することを特徴とする自動改札機。
【請求項２】
前記記録媒体は、利用可能な金額情報が書き込まれた記録媒体であり、
前記入場処理手段は、前記記録媒体から読取った金額情報が入場に必要な所定の金額以上あるか否かにより当該利用者の入場の可否を判定し、当該利用者の入場を許可すると判定した場合には前記記録媒体に入場情報を書き込むとともに前記金額情報から入場に必要な所定の金額を引き去り、
前記再入場処理手段は、前記読取手段により記録媒体から読取った再入場を許可する乗り継ぎ情報が有効であるか否かにより当該利用者の再入場の可否を判定し、当該利用者の再入場を許可すると判定した場合には、前記再入場の直前の入場情報を保持したままで乗り継ぎ扱いとする再入場であることを示す乗り継ぎ情報を含む再入場情報を前記記録媒体に書き込む、
を具備することを特徴とする前記請求項１に記載の自動改札機。
【請求項３】
利用者の出場を制御する自動改札機において、
利用者が所持している記録媒体に記録されている情報を読取る読取手段と、
この読取手段により前記記録媒体から再入場情報と前記再入場情報が示す再入場の直前の入場情報とを読取った場合、前記記録媒体から読取った再入場情報が示す再入場を乗り継ぎ扱いとするか否かを判断する判断手段と、
この判断手段により前記記録媒体から読み取った再入場情報が示す再入場を乗り継ぎ扱いしないと判断した場合、前記記録媒体から読取った再入場情報を入場情報として当該利用者の出場の可否を判定し、この判定結果に基づいて当該利用者の出場を制御する第１の出場処理手段と、
前記判断手段により前記記録媒体から読み取った再入場情報が示す再入場を乗り継ぎ扱いすると判断した場合、前記記録媒体から読取った再入場情報が示す再入場を乗り継ぎ扱いとして前記再入場の直前の入場情報が示す入場を基準に当該利用者の出場の可否を判定し、この判定結果に基づいて当該利用者の出場を制御する第２の出場処理手段と、
を具備することを特徴とする自動改札機。
【請求項４】
前記記録媒体は、利用可能な金額情報が書き込まれた記録媒体であり、
前記第１の出場処理手段は、再入場情報を入場情報として当該利用者が出場するために必要な金額を判定し、前記記録媒体から読取った金額が出場するために必要な金額以上であるか否かにより当該利用者の出場の可否を判定し、当該利用者の出場を許可すると判定した場合には前記記録媒体の金額情報から出場に必要な金額を引き去って出場可能な状態とし、
前記第２の出場処理手段は、前記直前の入場情報で入場した場合に当該自動改札機で出場するのに必要となる金額から前記直前の入場情報が示す入場から前記再入場情報が示す再入場までに支払った金額を減額した金額を、前記記録媒体から読取った再入場情報が示す再入場を乗り継ぎ扱いとして当該利用者が出場するために必要な金額として判定し、前記記録媒体から読取った金額が前記再入場を乗り継ぎ扱いとして当該利用者が出場するために必要な金額以上であるか否かにより当該利用者の出場の可否を判定し、当該利用者の出場を許可すると判定した場合には前記記録媒体の金額情報から出場に必要な金額を引き去って出場可能な状態とする、
を具備することを特徴とする前記請求項３に記載の自動改札機。
【請求項５】
利用者の入場を制御する入場用の自動改札機と利用者の出場を制御する出場用の自動改札機とを有する改札システムにおいて、
前記入場用の自動改札機は、
利用者が所持している記録媒体に記録されている情報を読取る第１の読取手段と、
この第１の読取手段により前記記録媒体から再入場を許可する乗り継ぎ情報が読取れなかった場合、前記記録媒体から読取った情報に基づいて当該利用者の入場の可否を判定し、当該利用者の入場を許可すると判定した場合には前記記録媒体に入場情報を書き込む入場処理手段と、
前記第１の読取手段により前記記録媒体から再入場を許可する乗り継ぎ情報を読取った場合、前記記録媒体から読取った前記再入場を許可する乗り継ぎ情報を含む情報に基づいて当該利用者の再入場の可否を判定し、当該利用者の再入場を許可すると判定した場合には、前記再入場の直前の入場情報を保持したままで、乗り継ぎ扱いとする再入場であることを示す乗り継ぎ情報を含む再入場情報を前記記録媒体に書き込む再入場処理手段と、を有し、
前記出場用の自動改札機は、
利用者が所持している記録媒体に記録されている情報を読取る第２の読取手段と、
この第２の読取手段により前記記録媒体から再入場情報と前記再入場情報が示す再入場の直前の入場情報とを読取った場合、前記記録媒体から読取った再入場情報が示す再入場を乗り継ぎ扱いとするか否かを判断する判断手段と、
この判断手段により前記記録媒体から読み取った再入場情報が示す再入場を乗り継ぎ扱いしないと判断した場合、前記記録媒体から読取った再入場情報を入場情報として当該利用者の出場の可否を判定し、この判定結果に基づいて当該利用者の出場を制御する第１の出場処理手段と、
前記判断手段により前記記録媒体から読み取った再入場情報が示す再入場を乗り継ぎ扱いすると判断した場合、前記記録媒体から読取った再入場情報が示す再入場を乗り継ぎ扱いとして前記再入場の直前の入場情報が示す入場を基準に当該利用者の出場の可否を判定し、この判定結果に基づいて当該利用者の出場を制御する第２の出場処理手段と、を有する、
ことを特徴とする改札システム。
【請求項６】
前記記録媒体は、利用可能な金額情報が書き込まれた記録媒体であり、
前記入場処理手段は、前記記録媒体から読取った金額情報が入場に必要な所定の金額以上あるか否かにより当該利用者の入場の可否を判定し、当該利用者の入場を許可すると判定した場合には前記記録媒体に入場情報を書き込むとともに前記記録媒体の金額情報から入場に必要な所定の金額を引き去り、
前記再入場処理手段は、前記記録媒体から読取った再入場を許可する乗り継ぎ情報が有効であるか否かにより当該利用者の再入場の可否を判定し、当該利用者の再入場を許可すると判定した場合には、前記再入場の直前の入場情報を保持したままで乗り継ぎ扱いとする再入場であることを示す乗り継ぎ情報を含む再入場情報を前記記録媒体に書き込み、
前記第１の出場処理手段は、前記記録媒体から読取った再入場情報を入場情報として当該利用者が出場するために必要な金額を判定し、前記記録媒体から読取った金額が出場するために必要な金額以上であるか否かにより当該利用者の出場の可否を判定し、当該利用者の出場を許可すると判定した場合には前記記録媒体の金額情報から出場に必要な金額を引き去り、
前記第２の出場処理手段は、前記直前の入場情報で入場した場合に当該自動改札機で出場するのに必要となる金額から前記直前の入場情報による入場から前記再入場情報が示す再入場までに支払った金額を減額した金額を、前記記録媒体から読取った再入場情報が示す再入場を乗り継ぎ扱いとして当該利用者が出場するために必要な金額として判定し、前記記録媒体から読取った金額が前記再入場を乗り継ぎ扱いとして当該利用者が出場するために必要な金額以上であるか否かにより当該利用者の出場の可否を判定し、当該利用者の出場を許可すると判定した場合には前記記録媒体の金額情報から出場に必要な金額を引き去る、
ことを特徴とする前記請求項５に記載の改札システム。
【発明の詳細な説明】
【技術分野】
【０００１】
この発明は、例えば、鉄道やバス等の交通機関などで使用され、記録媒体に記録されている情報に基づいて利用者の通行の可否を判断し、通行の可否の判断に基づいて当該利用者の通行を制御する自動改札機および改札システムに関する。
【背景技術】
【０００２】
近年、鉄道などでは、利用者が所持している乗車券としての記録媒体に記憶されている情報に基づいて利用者の通行の可否を判断し、その判断に応じて当該利用者の通行を制御する自動改札機が設置されていることが多くなってきている。また、近年の自動改札機には、乗車券として使用可能な記録媒体に記憶されている金額情報（ストアードフェアカード）から運賃などの利用料金に相当する金額を引き去ることにより利用者の通行を許可するものもある。自動改札機では、処理の正確性及び高速性などが要求されるため、特別な規定によって定められた通常の利用料金とは異なる料金を引き去る処理を行うことが困難である。このため、従来は、通常の利用料金とは異なる特別な規定によって定められた利用料金を設定する場合、利用者が、自動改札機以外の処理装置を使用して料金の精算等の処理を行うものが提案されている（例えば、特許文献１）。
【０００３】
一方、自動改札機を用いたシステムでは、利用者へのサービスの向上や運用上の理由から特別な料金規定によって通常の料金とは異なる料金を設定したいことがある。たとえば、鉄道などでは、百貨店および鉄道の双方の利用者に対するサービスを向上を目的として、駅構内と百貨店内とを直接的に行き来することができる改札口（百貨店改札口）が設けられていることがある。このような百貨店改札口が設けられている場合、上記百貨店改札口で連結されている百貨店あるいは鉄道会社が、百貨店の利用者に対する各種のサービスとして、通常の運賃体系とは異なる運賃を設定したいことがある。このようなサービスの一例としては、百貨店の利用者に対して当該駅あるいは百貨店改札口での入出場を乗り継ぎ扱い（当該駅での再入場時に初乗り料金が発生しない途中下車扱い）とするサービスが要望されている。
【０００４】
しかしながら、従来の自動改札機では、上記のようなサービスを提供できない。これは、百貨店改札口に設置されている自動改札機であっても、当該百貨店改札口で入出場する者が百貨店の利用者であるか否かが判別できないためである。たとえば、百貨店改札口から出入場する利用者がストアードフェアカードを使用する場合、当該利用者が百貨店の利用者であっても、自動改札機は、当該駅からの通常の乗車と判断し、当該駅での入場に必要な料金（たとえば初乗り料金を引き去る処理を行うこととなる。このように、従来の自動改札機では、特別な規定によって定められた通常の利用料金とは異なる料金を引き去る処理を行うことが困難であり、特定の利用者を乗り継ぎ扱いとして処理するような運用ができないという問題点がある。
【特許文献１】特開２００２−３５８５４５号公報
【発明の開示】
【発明が解決しようとする課題】
【０００５】
この発明は、利用者に手間をかけさせることなく、利用者に対して様々なサービスを柔軟に提供できる自動改札機および改札システムを提供することを目的とする。
【課題を解決するための手段】
【０００６】
この発明の一形態としての自動改札機は、利用者の入場を制御するものであって、利用者が所持している記録媒体に記録されている情報を読取る読取手段と、この読取手段により前記記録媒体から再入場を許可する乗り継ぎ情報が読取れなかった場合、前記記録媒体から読取った情報に基づいて当該利用者の入場の可否を判定し、当該利用者の入場を許可すると判定した場合には前記記録媒体に入場情報を書き込む入場処理手段と、前記読取手段により前記記録媒体から再入場を許可する乗り継ぎ情報を読取った場合、前記記録媒体から読取った前記再入場を許可する乗り継ぎ情報を含む情報に基づいて当該利用者の再入場の可否を判定し、当該利用者の再入場を許可すると判定した場合には、前記再入場の直前の入場情報を保持したままで乗り継ぎ扱いとする再入場であることを示す乗り継ぎ情報を含む再入場情報を前記記録媒体に書き込む再入場処理手段とを有する。
【０００７】
この発明の一形態としての自動改札機は、利用者の出場を制御するものであって、利用者が所持している記録媒体に記録されている情報を読取る読取手段と、この読取手段により前記記録媒体から再入場情報と前記再入場情報が示す再入場の直前の入場情報とを読取った場合、前記記録媒体から読取った再入場情報が示す再入場を乗り継ぎ扱いとするか否かを判断する判断手段と、この判断手段により前記記録媒体から読み取った再入場情報が示す再入場を乗り継ぎ扱いしないと判断した場合、前記記録媒体から読取った再入場情報を入場情報として当該利用者の出場の可否を判定し、この判定結果に基づいて当該利用者の出場を制御する第１の出場処理手段と、前記判断手段により前記記録媒体から読み取った再入場情報が示す再入場を乗り継ぎ扱いすると判断した場合、前記記録媒体から読取った再入場情報が示す再入場を乗り継ぎ扱いとして前記再入場の直前の入場情報が示す入場を基準に当該利用者の出場の可否を判定し、この判定結果に基づいて当該利用者の出場を制御する第２の出場処理手段とを有する。
【０００８】
この発明の一形態としての改札システムは、利用者の入場を制御する入場用の自動改札機と利用者の出場を制御する出場用の自動改札機とを有するものであって、前記入場用の自動改札機は、利用者が所持している記録媒体に記録されている情報を読取る第１の読取手段と、この第１の読取手段により前記記録媒体から再入場を許可する乗り継ぎ情報が読取れなかった場合、前記記録媒体から読取った情報に基づいて当該利用者の入場の可否を判定し、当該利用者の入場を許可すると判定した場合には前記記録媒体に入場情報を書き込む入場処理手段と、前記第１の読取手段により前記記録媒体から再入場を許可する乗り継ぎ情報を読取った場合、前記記録媒体から読取った前記再入場を許可する乗り継ぎ情報を含む情報に基づいて当該利用者の再入場の可否を判定し、当該利用者の再入場を許可すると判定した場合には、前記再入場の直前の入場情報を保持したままで乗り継ぎ扱いとする再入場であることを示す乗り継ぎ情報を含む再入場情報を前記記録媒体に書き込む再入場処理手段と、を有し、前記出場用の自動改札機は、利用者が所持している記録媒体に記録されている情報を読取る第２の読取手段と、この第２の読取手段により前記記録媒体から再入場情報と前記再入場情報が示す再入場の直前の入場情報とを読取った場合、前記記録媒体から読取った再入場情報が示す再入場を乗り継ぎ扱いとするか否かを判断する判断手段と、この判断手段により前記記録媒体から読み取った再入場情報が示す再入場を乗り継ぎ扱いしないと判断した場合、前記記録媒体から読取った再入場情報を入場情報として当該利用者の出場の可否を判定し、この判定結果に基づいて当該利用者の出場を制御する第１の出場処理手段と、前記判断手段により前記記録媒体から読み取った再入場情報が示す再入場を乗り継ぎ扱いすると判断した場合、前記記録媒体から読取った再入場情報が示す再入場を乗り継ぎ扱いとして前記再入場の直前の入場情報が示す入場を基準に当該利用者の出場の可否を判定し、この判定結果に基づいて当該利用者の出場を制御する第２の出場処理手段とを有する。
【発明の効果】
【０００９】
この発明によれば、利用者に手間をかけさせることなく、利用者に対して様々なサービスを柔軟に提供できる自動改札機および改札システムを提供できる。
【発明を実施するための最良の形態】
【００１０】
以下、この発明を実施するための最良の形態について図面を参照して説明する。  
図１は、この発明の実施の形態に係る自動改札機及び改札システムが適用される鉄道の路線図の例を示す図である。  
図１に示す例では、ある路線上に、複数の駅（Ａ駅、Ｂ駅、Ｃ駅、Ｄ駅）が存在している状態を示している。これらの各駅には、改札口での利用者の入出場を制御するための自動改札機１０（１０Ａ、１０Ｂ、１０Ｃ、１０Ｄ）が設置されている。これらの各駅に設置された複数の自動改札機１０によって改札システムが構成されている。
【００１１】
また、図１に示す例では、Ｃ駅には百貨店が隣接しており、Ｃ駅と百貨店とを直結する百貨店改札口が設けられている。この百貨店改札口には、自動改札機１０Ｃが設置されている。このような百貨店改札口に設置されている自動改札機１０Ｃを通過することにより、利用者は、Ｃ駅の構内から直接百貨店内に入場したり、百貨店内から直接Ｃ駅の構内に入場したりすることができるようになっている。
【００１２】
また、各駅の自動改札機１０では、利用者が提示する乗車券に記憶されている情報に基づいて入出場判定を行う機能を有し、この入出場判定の結果に基づいて当該利用者の入出場を制御する。また、自動改札機１０が処理対象とする乗車券としては、ＩＣカードあるいは磁気券などの記録媒体が用いられる。さらに、各駅の自動改札機１０では、乗車運賃として利用可能な金額情報が記憶されているＩＣカードあるいは磁気券などの記録媒体を処理する機能を有している。なお、本実施の形態では、乗車運賃として利用可能な金額情報が記憶されている記録媒体をストアードフェアカードと称する。上記自動改札機１０では、利用者がストアードフェアカードを提示した場合、利用者から徴収すべき運賃を算出し、その算出した運賃を利用者が提示したストアードフェアカードの残額から引き去ることにより、当該利用者の入出場を制御する機能を有している。なお、本実施の形態では、主に、運賃として利用可能な金額情報が記憶可能なＩＣカードあるいは磁気券などの記憶媒体が乗車券として用いられる場合を想定して説明するものとする。
【００１３】
次に、上記自動改札機１０の構成について説明する。  
図２は、自動改札機１０の構成例を示すブロック図である。  
図２に示すように、自動改札機１０は、制御部２１、メモリ２２、通信部２３、ＩＣカード処理部２４、磁気券処理部２５、通行制御部２６、表示部２７などを有している。この自動改札機１０は、上述したように、各駅の改札口あるいは乗換口等に設置され、改札口や乗換口において利用者の入場あるいは出場を制御するものである。
【００１４】
上記制御部２１は、自動改札機１全体の制御を司るものである。上記制御部２１は、利用者の入場を判定する入場判定処理（入場判定手段）、および、利用者の出場を判定する出場判定処理（出場判定手段）などの機能を有している。上記メモリ２２は、上記制御部２１により実行される制御プログラムや制御データ、通行の可否あるいは運賃を算出するためのテーブルなどが記憶される。上記通信部２３は、上位装置としてのホストコンピュータ（図示しない）などとの通信を行うためのインターフェースである。
【００１５】
上記ＩＣカード処理部２４は、利用者が所持する乗車券としてのＩＣカードに対する処理を行うものである。上記ＩＣカード処理部２４は、利用者が提示された乗車券としてのＩＣカードに記憶されている情報を読み取る読取手段、および、情報を書き込む書込手段などの機能を有している。また、上記ＩＣカード処理部２４により処理される乗車券としてのＩＣカードは、たとえば、非接触式ＩＣカードにより構成される。非接触式ＩＣカードが乗車券として用いられる場合、上記ＩＣカード処理部２４は、アンテナ及び無線通信制御部などを有するカードリーダライタにより構成される。この場合、上記ＩＣカード処理部２４は、上記ＩＣカードが所定の位置に翳されることにより通信が可能となる。この状態において、上記ＩＣカード処理部２４は、上記ＩＣカードから情報を読取ったり、ＩＣカードに情報を書き込んだりするようになっている。
【００１６】
上記磁気券処理部２５は、利用者が所持する乗車券としての磁気券に対する処理を行うものである。上記磁気券処理部２５は、利用者により投入された磁気券に記憶されている情報を読み取る読取手段、および、情報を書き込む書込手段などの機能を有している。また、例えば、上記磁気券処理部２５は、利用者により投入口（図示しない）に投入された１枚あるいは複数枚の券を機体内に取り込む取込部（図示しない）、この取込部により取込んだ券を１枚づつ搬送する搬送部（図示しない）、この搬送部により搬送される券から記録内容を読み取る読取部（図示しない）、上記搬送部により搬送される券に情報を書込む書込部（図示しない）、必要に応じて券を回収する回収部（図示しない）、および、これらの各部により処理された券を利用者に返却するために機外に放出する放出部（図示しない）などを有している。
【００１７】
上記通行制御部２６は、利用者の通行を制御するものである。上記通行制御部２６は、例えば、利用者の通行を阻止するドア、このドアを制御するドア開閉機構などにより構成される。上記表示部２７は、利用者への案内表示などを表示する表示装置などから構成されている。
【００１８】
なお、図２では、記録媒体としてのＩＣカードを処理するＩＣカード処理部２４と記録媒体としての磁気券を処理する磁気券処理部２５とを有する自動改札機１０の構成例について示しているが、何れか一方を有する自動改札機であっても本実施の形態は適用できる。たとえば、本実施の形態が適用される自動改札機には、乗車券として磁気券のみが使用される場合は磁気券処理部２５を有していれば良く、乗車券としてＩＣカードのみが有効な場合はＩＣカード処理部２４を有していれば良い。
【００１９】
次に、上記自動改札機１０の設置形態について説明する。  
図１に示すように、上記自動改札機１０は、各駅の改札口などに設置される。また、図１に示すように、百貨店が隣接する百貨店隣接駅（Ｃ駅）では、百貨店と駅とを連結する改札口（百貨店改札口）にも自動改札機１０が設置される。  
図３は、百貨店改札口が設けられている百貨店隣接駅（Ｃ駅）における自動改札機１０の設置例を示す図である。また、図４は、Ａ電鉄とＢ電鉄とが乗り入れている百貨店隣接駅（Ｃ駅）における自動改札機１０の設置例を示す図である。
【００２０】
図３に示す設置例では、自動改札機１０は、Ｃ駅の構内と百貨店との境界に設置される。この場合、Ｃ駅で降車して百貨店に入場する利用者は、百貨店改札口に設置されている自動改札機１０で出場処理を行うことにより百貨店へ入店することとなる。また、百貨店内のＣ駅で乗車する利用者は、百貨店改札口に設置されている自動改札機１０で入場処理を行うことによりＣ駅構内に入場することとなる。従って、百貨店の利用を目的として鉄道を利用する利用者は、上記百貨店改札口で出場して百貨店を利用し、さらに、上記百貨店改札口で入場することが想定される。
【００２１】
また、図４に示す設置例では、自動改札機１０は、Ｃ駅構内のＡ電鉄とＢ電鉄との連絡口（Ａ−Ｂ連絡改札口）には、連絡処理を行うための自動改札機１０が設置され、Ｂ電鉄のＣ駅構内と百貨店との境界には入出場処理を行うための自動改札機１０が設置される。この場合、Ａ電鉄のＣ駅で降車して百貨店へ入場する利用者は、連絡改札口に設置された自動改札機１０を通過した後、百貨店改札口に設置された自動改札機１０で出場処理を行うことにより百貨店に入店することとなる。この場合、連絡改札口の自動改札機１０は利用者を通過させる処理を行うだけで、百貨店とＣ駅構内との出場処理および入場処理は、図３に示す設置例と同様に、百貨店改札口の自動改札機１０により行う。
【００２２】
次に、上記のような各駅に設置された自動改札機により構成される改札システム全体の運用例について説明する。  
図５は、百貨店隣接駅の百貨店改札口を使用して百貨店を利用する利用者に対する改札システム全体としての処理例を説明するためのフローチャートである。ここでは、たとえば、図１に示す路線図において、利用者が、Ａ駅で入場し、Ｃ駅の百貨店改札口から出場して百貨店へ入店し、さらに、Ｃ駅の百貨店改札口で駅構内に入場し、Ａ駅、Ｂ駅又はＤ駅で出場する場合を想定して説明する。
【００２３】
まず、Ａ駅で乗車する場合、利用者は、Ａ駅の改札口に設置されている自動改札機１０Ａにより駅構内へ入場する。Ａ駅の改札口に設置されている自動改札機１０Ａでは、当該利用者が提示する乗車券としての記録媒体による入場処理を行う（ステップＳ１１）。  
すなわち、Ａ駅の改札口に設置されている自動改札機１０Ａでは、利用者が提示した乗車券として使用される記録媒体から乗車券情報を読取り、利用者が提示した記録媒体から読取った乗車券情報に基づいて当該利用者の入場の可否を判定し、その判定結果に応じて利用者が提示した記録媒体を処理する。
【００２４】
たとえば、入場時に入場に必要な所定の料金（たとえば、初乗り運賃）を徴収する運用形態では、利用者が金額情報が記録されているストアードフェアカードを提示した場合、自動改札機１０Ａは、利用者が提示したストアードフェアカードに記録されている金額情報（残額情報）から入場時に必要な所定の料金（たとえば、初乗り運賃）を引き去ることにより当該利用者の入場を許可する。利用者の入場を許可した場合、上記自動改札機１０Ａは、利用者が提示した記録媒体に入場駅および入場日時などを示す入場情報を書き込む処理を施す。従って、Ａ駅の改札口では、利用者は、自動改札機１０Ａから入場情報が記録された記録媒体を受け取ってＡ駅の構内に入場することになる。
【００２５】
次に、Ａ駅で入場した利用者は、Ｃ駅の百貨店改札口に設置されている自動改札機１０ＣによりＣ駅構内から出場するとともに百貨店に入店する。この場合、Ｃ駅の百貨店改札口に設置されている自動改札機１０Ｃでは、当該利用者が提示する乗車券としての記録媒体に記憶されている乗車券情報と入場情報とに基づいて出場処理を行う（ステップＳ１２）。  
すなわち、Ｃ駅の百貨店改札口に設置されている自動改札機１０Ｃでは、利用者が提示した乗車券としての記録媒体から乗車券情報と入場情報とを読取り、読取った乗車券情報と入場情報とに基づいて当該利用者の出場の可否を判定し、その判定結果に応じて利用者が提示した記録媒体を処理する。
【００２６】
たとえば、Ａ駅の自動改札機１０Ａにおいてストアードフェアカードを用いて入場した場合、自動改札機１０Ａは、利用者が提示したストアードフェアカードに記録されている入場情報から当該駅（Ｃ駅）までの運賃を算出し、その算出した運賃を当該ストアードフェアカードの金額情報（残額）から引き去ることにより当該利用者の出場を許可する。なお、入場処理において初乗り運賃を徴収する運用形態では、自動改札機１０Ｃの出場処理において、当該Ａ駅からＣ駅までの運賃からＡ駅での初乗り運賃を引いた金額をストアードフェアカードの残額から引き去ることにより利用者の出場を許可する。
【００２７】
また、利用者の出場を許可した場合、上記自動改札機１０Ｃは、利用者が提示した記録媒体に出場駅および出場日時などを示す出場情報を書き込み、当該利用者に返却する処理を行う。この際、上記自動改札機１０Ｃは、少なくとも出場判定に用いた入場情報（この例では、Ａ駅で書き込んだ入場情報）を消さずに当該記録媒体に記録しておくものとする。つまり、百貨店隣接駅（Ｃ駅）の百貨店改札口を通過する利用者は、直前の入場情報（この例では、Ａ駅で書き込まれた入場情報）と直前の出場情報（この例では、Ｃ駅の百貨店改札口で書き込まれた出場情報）とが記録された記録媒体を自動改札機１０Ｃから受け取って百貨店へ入店することになる。
【００２８】
上記のような百貨店改札口の自動改札機１０Ｃでの出場処理により出場した利用者は、百貨店に入店したこととなる。百貨店に入店すると、利用者は、百貨店内で買い物等を行う。当該百貨店では、所定の運用規定に従って当該百貨店隣接駅（Ｃ駅）を乗り継ぎ扱いとして入場（再入場）を許可するための乗り継ぎ情報（再入場を許可する旨の情報）を発行する。利用者に乗り継ぎ情報を発行するための条件（所定の運用規定）は、百貨店あるいは鉄道が適宜規定することが可能であるが、例えば、買い物などの当該百貨店の利用に応じて乗り継ぎ情報を発行するようにしても良い。
【００２９】
また、当該百貨店での乗り継ぎ情報の発行形態としては、例えば、乗り継ぎ情報を記録した乗り継ぎ券を発行するようにしても良いし、利用者が所持している当該百貨店改札口での出場処理に使用した記録媒体に乗り継ぎ情報を追記（書込）するようにしても良い。特に、一般に磁気券は記憶領域が少ないため、利用者が百貨店改札口での出場処理に使用した記録媒体が磁気券であれば、乗り継ぎ情報を記録した乗り継ぎ券を発券する形態が想定される。また、一般にＩＣカードは記憶領域が大きいため、利用者が百貨店改札口での出場処理に使用した記録媒体がＩＣカードであれば、ＩＣカードに乗り継ぎ情報を追記する形態が想定される。なお、利用者が所持している記録媒体に乗り継ぎ情報を書き込む処理は、百貨店内に設置した記録媒体の処理装置によって行うようにしても良いし、百貨店が発行した証明書に基づいて当該駅の窓口で行うようにしても良い。
【００３０】
当該百貨店で乗り継ぎ情報を取得した利用者は、上記百貨店改札口を利用して百貨店からＣ駅構内へ入場する。この際、当該利用者は、乗り継ぎ情報を追記した当該百貨店改札口での出場処理に使用した乗車券としての記録媒体、あるいは、当該百貨店改札口での出場処理に使用した乗車券としての記録媒体と乗り継ぎ情報を記録した乗り継ぎ券との組み合わせを上記百貨店改札口の自動改札機１０Ｃに提示する。すると、上記百貨店改札口の自動改札機１０Ｃでは、乗車券情報（直前の入場情報および直前の出場情報）と乗り継ぎ情報とに基づく再入場処理（乗り継ぎ処理）を行う（ステップＳ１４）。
【００３１】
上記百貨店改札口の自動改札機１０Ｃでの再入場処理は、提示された記録媒体に記録されている乗車券情報と乗り継ぎ情報に基づいて当該駅における乗り継ぎと同様な扱いでの当該利用者の再入場の可否を判定する処理である。つまり、上記再入場処理では、乗り継ぎ情報が有効であるか否かを判断し、乗り継ぎ情報が有効であると判断した場合に当該利用者を乗り継ぎ扱いとして駅構内への入場（再入場）を許可するものである。
【００３２】
従って、上記自動改札機１０Ｃの再入場処理は、少なくとも乗車券情報と乗り継ぎ情報とを提示した利用者を対象として実施され、当該駅での再入場に関する情報（再入場情報）を利用者が提示した記録媒体に記録する処理を行う。この再入場処理の結果として、当該利用者は、百貨店改札口での再入場時に、少なくとも前回の入出場情報と再入場情報とが記録されている記録媒体を受け取ることとなる。なお、上記百貨店改札口の自動改札機１０Ｃにて再入場処理（乗り継ぎ処理）については、後で詳細に説明する。
【００３３】
上記百貨店改札口の自動改札機で再入場した利用者は、行き先（最終的な目的地）の駅の自動改札機１０にて出場処理を行う（ステップＳ１５）。たとえば、Ａ駅から乗車してＣ駅の百貨店改札口で一旦出場した後に再度Ｃ駅の百貨店改札口で入場してＤ駅（あるいは、Ａ駅、Ｂ駅）で出場する場合、利用者は、Ａ駅での入場情報、Ｃ駅での出場情報、Ｃ駅での再入場情報（乗り継ぎ情報）が記録されている記録媒体をＤ駅（あるいはＡ駅、Ｂ駅）の自動改札機１０Ｄ（あるいは、１０Ａ、１０Ｂ）に自動改札機１０に提示する。すると、自動改札機１０では、Ａ駅での入場情報、Ｃ駅での出場情報、Ｃ駅での再入場情報に基づいてＤ駅（あるいは、Ａ駅、Ｂ駅）での出場処理を行う。
【００３４】
上記のような再入場情報を有する記録媒体に対する出場処理では、提示された記録媒体に記録されている前回の入場情報、前回の出場情報および再入場情報に基づいて当該駅における出場の可否を判定する処理である。つまり、上記のような出場処理では、再入場情報によりＣ駅を乗り継ぎ扱い（途中下車扱い）と判定し、Ｃ駅を乗り継ぎ扱いとした場合の出場の可否を判定する。
【００３５】
従って、再入場した駅（乗り継ぎ扱いの駅）が最初に入場した駅（入場駅）から当該駅（出場駅）までの経路上の駅であれば、上記のような出場処理では、最初に入場した駅から当該駅までを乗車する条件を満たしているか否かにより出場の可否を判定する。また、この場合、上記出場処理に使用する乗車券がストアードフェアカードが提示であれば、最初に入場した駅（入場駅）から再入場した駅（乗り継ぎ扱いの駅）までの運賃が再入場した駅での出場時に引き去られているため、最初に入場した駅（入場駅）から当該駅（出場駅）までの運賃から、最初に入場した駅（入場駅）から再入場した駅（乗り継ぎ扱いの駅）までの運賃を減算した金額がストアードフェアカードの残額から引き去ることが可能であるか否かにより出場の可否を判定する。
【００３６】
たとえば、図１に示すような路線図において、Ａ駅で入場してＣ駅の百貨店改札口で一旦出場した後に再度Ｃ駅の百貨店改札口で再入場してＤ駅で出場する場合、Ｄ駅の自動改札機１０Ｄによる出場処理では、利用者が提示した記録媒体に記録されている情報がＡ駅からＤ駅までを乗車する条件を満たしているか否かにより出場の可否を判定する。また、Ｄ駅の自動改札機１０Ｄに提示された記録媒体がストアードフェアカードであれば、Ｃ駅での出場時にＡ駅からＣ駅までの運賃が引き去られているため、上記自動改札機１０Ｄは、Ａ駅からＤ駅までの運賃からＡ駅からＣ駅までの運賃を減算した金額がストアードフェアカードの残額から引き去ることが可能であるか否かにより出場の可否を判定する。
【００３７】
また、図１に示すような路線図において、Ａ駅で入場してＣ駅の百貨店改札口で一旦出場した後に再度Ｃ駅の百貨店改札口で再入場してＡ駅で出場する場合、Ａ駅の自動改札機１０Ａによる出場処理では、利用者が提示した記録媒体に記録されている情報がＡ駅からＣ駅までを往復の乗車条件を満たしているか否かにより出場の可否を判定する。また、Ａ駅での出場時に自動改札機１０Ａに提示された記録媒体がストアードフェアカードであれば、Ｃ駅での出場時にＡ駅からＣ駅までの運賃が既に引き去られているため、上記自動改札機１０Ａは、Ｃ駅からＡ駅までの運賃をストアードフェアカードの残額から引き去ることが可能であるか否かにより出場の可否を判定する。
【００３８】
また、図１に示すような路線図において、Ａ駅で入場してＣ駅の百貨店改札口で一旦出場した後に再度Ｃ駅の百貨店改札口で再入場してＢ駅で出場する場合、Ｂ駅の自動改札機１０Ｂによる出場処理では、利用者が提示した記録媒体に記録されている情報がＡ駅からＣ駅までの乗車条件とＣ駅からＢ駅までの乗車条件を満たしているか否かにより出場の可否を判定する。また、Ｂ駅での出場時に自動改札機１０Ｂに提示された記録媒体がストアードフェアカードであれば、Ｃ駅での出場時にＡ駅からＣ駅までの運賃が既に引き去られているため、上記自動改札機１０Ｂは、Ｃ駅からＢ駅までの運賃をストアードフェアカードの残額から引き去ることが可能であるか否かにより出場の可否を判定する。
【００３９】
上記のような出場処理によれば、利用者は、少なくとも再入場情報と乗車券情報（前回の入出場情報）とが記録されている記録媒体を提示することにより、再入場した駅を乗り継ぎ扱いとして各駅で出場することができる。
【００４０】
次に、自動改札機１０による再入場処理について説明する。  
図６は、特定の駅あるいは改札口での自動改札機１０による再入場処理を説明するためのフローチャートである。  
ここでは、図１に示すような路線においてＣ駅の百貨店改札口で出場した利用者が百貨店内で乗り継ぎ情報を取得したものとする。また、利用者が所得する乗り継ぎ情報としては、Ｃ駅の百貨店改札口での出場時に使用した乗車券としてのＩＣカードに追記された場合と百貨店内で別途発行された乗り継ぎ情報を記憶した磁気券としての乗り継ぎ券が発行された場合とを想定して説明するものとする。
【００４１】
すなわち、百貨店改札口で出場して百貨店で乗り継ぎ情報を取得した利用者は、百貨店改札口から再度入場する場合、出場時に使用した乗車券としての記録媒体と乗り継ぎ情報を記録した記録媒体とを自動改札機１０Ｃに対して提示する。たとえば、百貨店改札口での出場時に使用した非接触式ＩＣカードに乗り継ぎ情報を追記した場合、利用者は、当該非接触式ＩＣカードを自動改札機１０Ｃの所定の通信位置に翳す。また、乗り継ぎ券を取得した場合、利用者は、百貨店改札口での出場時に使用した乗車券としての磁気券と乗り継ぎ券とを自動改札機１０Ｃの所定の投入口に磁気券を投入する。
【００４２】
すると、自動改札機１０Ｃでは、ＩＣカード処理部２４あるいは磁気券処理部２５により利用者が提示した記録媒体としての非接触式ＩＣカードあるいは磁気券（乗車券と乗り継ぎ券）の記録内容を読取る（ステップＳ２０）。利用者が提示した記録媒体の記録内容を読取ると、当該自動改札機１０の制御部２１は、利用者が提示した記録媒体から読取った記録内容に乗り継ぎ情報が存在するか否かを判断する（ステップＳ２１）。
【００４３】
この判断により乗り継ぎ情報が存在すると判断した場合（ステップＳ２１、ＹＥＳ）、上記制御部２１は、さらに、読取った乗り継ぎ情報が有効か否かを判断する（ステップＳ２２）。乗り継ぎ情報の有効性は、乗り継ぎ情報の他に直前の入場情報と直前の出場情報とが存在するか否か、あるいは、乗り継ぎ情報の日時が直前の出場情報の日時に対して有効（例えば、出場日が当日）であるか否か、あるいは、直前の出場情報で示される出場場所が所定の場所（たとえば、百貨店改札口）であるか否かなどにより判断される。この場合、上記ステップＳ２２では、直前の入場情報と当日の所定場所での出場情報とが存在するか否かにより乗り継ぎ情報が有効であるか否かが判定される。
【００４４】
上記判断により乗り継ぎ情報がないと判断した場合（ステップＳ２１、ＮＯ）、あるいは、上記判断により乗り継ぎ情報が有効でないと判断した場合（ステップＳ２２、ＮＯ）、上記制御部２１は、利用者が提示した乗車券としての記録媒体から読取った乗車券情報に基づいて当該駅での通常の入場（当該駅を初乗りとする入場）の可否を判定する入場判定処理を行う（ステップＳ２３）。たとえば、利用者が提示した記録媒体がストアードフェアカードである場合、通常の入場時に初乗り運賃を徴収する運用形態では、上記ステップＳ２３の入場判定処理において当該ストアードフェアカードの残額から初乗り運賃が引き去り可能か否かにより入場の可否を判定する。
【００４５】
上記ステップＳ２３の入場判定処理による判定結果に基づいて、上記制御部２１は、当該駅を通常の入場駅とした通常の入場処理に応じた記録媒体に対する処理を行うとともに（ステップＳ２４）、上記入場判定結果に応じた当該利用者の入場を制御を行う（ステップＳ２５）。  
すなわち、上記ステップＳ２３で入場を不許可すると判定した場合、上記制御部２１は、利用者が提示した記録媒体を返却し（ステップＳ２４）、当該利用者の入場を阻止（不許可）する（ステップＳ２５）。
【００４６】
また、上記ステップＳ２３で入場を許可すると判定した場合、上記制御部２１は、当該利用者が提示した乗車券としての記録媒体に入場情報などの書き込み処理を行って返却し（ステップＳ２４）、当該利用者の入場を許可する（ステップＳ２５）。また、利用者が提示したストアードフェアカードによる入場を許可すると判定した場合、通常の入場時に初乗り運賃を徴収する運用形態では、上記制御部２１は、上記ステップＳ２４において、当該利用者が提示したストアードフェアカードの残額から初乗り運賃を引去り、入場情報などを書き込む処理を行う。
【００４７】
また、上記判断により乗り継ぎ情報が有効であると判断した場合（ステップＳ２２、ＹＥＳ）、上記制御部２１は、利用者が提示した記録媒体から読取った乗車券情報と乗り継ぎ情報との組み合わせに基づいて当該駅での再入場としての入場の可否を判定する再入場判定処理を行う（ステップＳ２６）。たとえば、利用者が提示した記録媒体がストアードフェアカードである場合、再入場時に運賃の引き去り等の処理を行わない運用形態では、当該ストアードフェアカードが有効であれば再入場を許可する。また、再入場時に運賃の引き去り等の処理を行わない運用形態であっても、ストアードフェアカードの残額が所定金額以上である場合に再入場を許可するようにしても良い。
【００４８】
上記再入場判定処理による判定結果に基づいて、上記制御部２１は、当該駅を乗り継ぎとする再入場に応じた記録媒体への処理を行うとともに（ステップＳ２７）、当該利用者の入場を制御する処理を行う（ステップＳ２５）。すなわち、上記ステップＳ２６で再入場を許可すると判定した場合、上記制御部２１は、当該利用者が提示した記録媒体に再入場情報などの書き込み処理を行って返却し（ステップＳ２７）、当該利用者の入場を許可する（ステップＳ２５）。
【００４９】
たとえば、利用者が乗車券としてストアードフェアカードを提示している場合、再入場時に運賃の徴収を行わない運用形態であれば、上記ステップＳ２７の処理では、当該ストアードフェアカードの残額から料金を引き去る処理は行わなずに、再入場情報を記録する。これは、後述する再入場後の出場処理において、再入場情報によって当該駅（再入場駅）を乗り継ぎ扱いとして運賃の精算を行うためである。
【００５０】
なお、上記ステップＳ２７の処理によって記録媒体に書き込む再入場情報は、上記乗り継ぎ情報と同様であっても良いし、上記乗り継ぎ情報に入場日時（再入場の日時）や入場場所（再入場駅）を示す情報を追加した情報であっても良い。前者の場合は、再入場処理において乗車券としての記録媒体に入場日時（再入場の日時）や入場場所（再入場駅）を示す情報を追記するようにすれば良い。また、後者の場合は、再入場処理において乗り継ぎ情報が記録されている記録媒体（乗車券あるいは乗り継ぎ券）に入場日時（再入場の日時）や入場場所（再入場駅）を示す情報を追記するようにすれば良い。
【００５１】
また、利用者が提示した記録媒体が乗り継ぎ情報が追記されたＩＣカードである場合、当該ＩＣカードには、乗り継ぎ情報に加えて入場日時（再入場の日時）や入場場所（再入場駅）を示す情報を追記するようにすれば良い。また、利用者が提示した記録媒体が乗車券としての磁気券と乗り継ぎ券としての磁気券とである場合、上記乗り継ぎ券を回収し、上記乗車券として磁気券に再入場日時（再入場の日時）や再入場場所（再入場駅）などを示す再入場情報を追記するようにすれば良い。また、乗り継ぎ情報が記録されている乗り継ぎ券に、さらに、入場日時（再入場の日時）や入場場所（再入場駅）などを示す情報を追記して当該利用者に返却するようにしても良い。
【００５２】
次に、自動改札機１０による出場処理について説明する。  
図７は、自動改札機１０による出場処理を説明するためのフローチャートである。  
ここでは、図１に示すような路線においてＣ駅の百貨店改札口で再入場した利用者がＤ駅、Ａ駅あるいはＢ駅で出場する場合を想定して説明するものとする。また、利用者がＣ駅の百貨店改札口での再入場時に再入場情報が書き込まれた非接触式ＩＣカードあるいは磁気券を提示する場合を想定して説明するものとする。
【００５３】
すなわち、百貨店改札口で再入場した利用者は、行き先の駅の改札口で出場する場合、再入場時に処理された記録媒体（乗り継ぎ情報を追記した乗車券あるいは乗車券と再入場情報を記録した乗り継ぎ券との組み合わせ）を出場する駅の自動改札機１０に対して提示する。たとえば、Ｃ駅の百貨店改札口での再入場時に乗車券としての非接触式ＩＣカードに再入場情報を追記した場合、利用者は、当該非接触式ＩＣカードを自動改札機１０Ｃの所定の通信位置に翳す。また、乗車券の他に再入場情報を記録した乗り継ぎ券を受け取った場合、利用者は、百貨店改札口での再入場時に使用した乗車券としての磁気券と乗り継ぎ券とを自動改札機１０の所定の投入口に投入する。
【００５４】
すると、自動改札機１０では、ＩＣカード処理部２４あるいは磁気券処理部２５により利用者が提示した記録媒体の記録内容を読取る（ステップＳ３０）。すると、当該自動改札機１０の制御部２１は、利用者が提示した記録媒体から読取った記録内容に再入場情報が存在するか否かを判断する（ステップＳ３１）。
【００５５】
この判断により再入場情報が存在しないと判断した場合（ステップＳ３１、ＮＯ）、上記制御部２１は、利用者が提示した乗車券としての記録媒体から読取った乗車券情報（入場情報）に基づいて当該駅での出場の可否を判定する出場判定処理を行う（ステップＳ３４）。この出場判定処理は、乗車券に記録されている入場情報に基づく通常の出場判定処理である。たとえば、利用者が提示した記録媒体がストアードフェアカードである場合、上記ステップＳ３４の出場判定処理では、入場情報に基づく入場駅から当該駅までの運賃を算出し、その運賃が当該ストアードフェアカードの残額から引き去ることが可能であるか否かにより出場の可否を判定する。
【００５６】
また、上記ステップＳ３４で出場判定処理を行った場合、上記制御部２１は、利用者が提示した乗車券としての記録媒体に対して出場判定に応じた処理を行うとともに（ステップＳ３５）、出場判定の結果に応じた当該利用者の出場を制御する処理を行う（ステップＳ４０）。たとえば、利用者がストアードフェアカードを提示した場合、出場が許可と判定されれば、上記制御部２１は、入場駅から当該駅までの運賃を当該ストアードフェアカードの残額から引き去る処理を行うとともに（ステップＳ３５）、当該利用者の出場を許可する（ステップＳ４０）。
【００５７】
また、上記判断により再入場情報が存在すると判断した場合（ステップＳ３１、ＹＥＳ）、上記制御部２１は、さらに、再入場情報が有効か否かを判断する（ステップＳ３２）。再入場情報の有効性は、再入場情報の他に直前の入場情報が存在するか否か、あるいは、現在の二日時（出場の日時）が再入場情報の日時に対して有効（例えば、出場日が当日）であるか否かなどにより判断される。この場合、上記ステップＳ３２では、直前の入場情報と当日の再入場情報とが存在するか否かにより再入場情報が有効であるか否かが判定される。
【００５８】
上記判断により再入場情報が無効であると判断した場合（ステップＳ３２、ＮＯ）、上記制御部２１は、当該利用者に対する出場判定処理として当該利用者の通行を不許可と判定し（ステップＳ３６）、当該利用者の出場を阻止（不許可）とする（ステップＳ４０）。これは、無効な再入場情報が存在するため、正常な出場判定が行えないためである。
【００５９】
また、上記判断により再入場情報が有効であると判断した場合（ステップＳ３２、ＹＥＳ）、上記制御部２１は、再入場情報に基づく再入場駅が直前の入場駅から当該駅（出場駅）までの経路上に存在する駅であるか否かにより判断する（ステップＳ３３）。これは、再入場駅での出入場を乗り継ぎ扱い（再入場駅での入場時における初乗り運賃が不要な途中下車扱い）とすることが可能であるか否かを判断するものである。
【００６０】
つまり、再入場駅が入場駅から当該駅（出場駅）までの経路上でなければ、利用者は、再入場駅での出場時に精算済みの入場駅から再入場駅までの運賃の他に、再入場駅から当該駅（出場駅）までの正規運賃を支払う必要がある。言い換えると、再入場駅が入場駅から当該駅（出場駅）までの経路上でなければ、当該駅（出場駅）では、再入場駅から出場駅までの運賃を徴収する必要がある。これに対して、再入場駅が入場駅から当該駅（出場駅）までの経路上であり、再入場駅での入出場を乗り継ぎとして扱うとすれば、利用者は、入場駅から当該駅（出場駅）までの運賃を支払う必要がある。言い換えれば、再入場駅が入場駅から当該駅（出場駅）までの経路上であれば、当該駅（出場駅）では、入場駅から当該駅（出場駅）までの運賃から再入場駅での出場時に精算済みの入場駅から再入場駅までの運賃を減算した金額を徴収する必要がある。
【００６１】
例えば、図１に示す路線図において、Ａ駅で入場し、Ｃ駅で再入場し、Ｄ駅で出場した場合、Ｃ駅は、Ａ駅からＤ駅までの経路上である。このため、Ｄ駅での出場処理では、Ｃ駅を乗り継ぎ扱いとする。つまり、この場合、Ｄ駅での出場処理では、Ａ駅からＤ駅までの運賃からＡ駅からＣ駅までの運賃（Ｃ駅での出場時に引き去った金額）を減算した金額を徴収する必要がある。これに対して、図１に示す路線図において、Ａ駅で入場し、Ｃ駅で再入場し、Ａ駅で出場した場合（つまり、Ａ駅とＣ駅との往復である場合）、Ｃ駅は、入場駅と出場駅との経路上にない。このため、Ａ駅での出場処理では、Ｃ駅を乗り継ぎ扱いとせずに、Ｃ駅からＡ駅までの運賃を徴収する必要がある。また、図１に示す路線図において、Ａ駅で入場し、Ｃ駅で再入場し、Ｂ駅で出場した場合、Ｃ駅は、入場駅と出場駅との経路上にない。このため、Ａ駅での出場処理では、Ｃ駅を乗り継ぎ扱いとせずに、Ｃ駅からＢ駅までの運賃を徴収する必要がある。
【００６２】
このように、再入場駅が入場駅から当該駅（出場駅）までの経路上に存在するか否かで運賃の算出方法や出場判定の基準が異なる。このため、上記ステップＳ３３では、再入場情報に基づく再入場駅が直前の入場駅から当該駅（出場駅）までの経路上に存在する駅であるか否かにより判断する（ステップＳ３３）。
【００６３】
この判断により再入場駅が経路上の駅であると判断した場合（ステップＳ３３、ＹＥＳ）、上記制御部２１は、再入場駅を乗り継ぎ扱いとして出場の判定を行う（ステップＳ３７）。このステップＳ３７の出場判定処理では、上記制御部２１は、利用者が提示した乗車券に記録されている乗車券情報が入場駅から出場駅までの乗車に必要な条件を有しているか否かを判定する。
【００６４】
例えば、利用者が乗車券としてストアードフェアカードを提示した場合、上記制御部２１は、入場駅から当該駅（出場駅）までの運賃から入場駅から再入場駅までの運賃を減算した金額を当該ストアードフェアカードの残額が引去ることが可能であるか否かにより出場の可否を判定する。これは、再入場駅での出場時に、入場駅から再入場駅までの運賃を引去る処理を行っているためである。つまり、上記ステップＳ３７の出場判定処理は、再入場駅で徴収済みの金額を考慮し、入場駅から当該駅（出場駅）までの運賃を徴収することが可能であるか否かを判定している。
【００６５】
なお、再入場時に所定の料金を徴収する運用形態では、再入場時に引去った金額も考慮して出場の可否を判定する。つまり、再入場時に所定の料金を徴収する運用形態では、再入場時に引去った金額も減算した金額を当該ストアードフェアカードの残額が引去ることが可能であるか否かにより出場の可否を判定する。
【００６６】
また、上記判断により再入場駅が経路上の駅でないと判断した場合（ステップＳ３３、ＮＯ）、上記制御部２１は、再入場駅を入場駅として出場の判定を行う（ステップＳ３８）。このステップＳ３８の出場判定処理では、上記制御部２１は、利用者が提示した乗車券に記録されている乗車券情報が再入場駅から当該駅（出場駅）までの乗車に必要な条件を有しているか否かを判定する。
【００６７】
例えば、利用者が乗車券としてストアードフェアカードを提示した場合、上記制御部２１は、上記ステップＳ３８において、再入場駅から当該駅（出場駅）までの運賃を当該ストアードフェアカードの残額から引去ることが可能であるか否かにより出場の可否を判定する。これは、再入場駅での出場時に入場駅から再入場駅までの運賃を引去る処理を行っているが、上記再入場駅での入場時に初乗り運賃等を減算していないためである。つまり、上記ステップＳ３８の出場判定処理は、再入場駅で出場時および入場時に徴収した金額を考慮し、入場駅から再入場駅までの運賃（再入場駅での出場時に徴収済み）と再入場駅から当該駅（出場駅）までの運賃とを徴収することが可能であるか否かを判定している。
【００６８】
上記ステップＳ３７あるいはステップＳ３８の出場判定処理による判定結果に基づいて、上記制御部２１は、当該駅での出場判定に応じた記録媒体への処理を行うとともに（ステップＳ３９）、当該利用者の出場を制御する処理を行う（ステップＳ４０）。  
すなわち、上記ステップＳ３７あるいはステップＳ３８で出場を不許可とすると判定した場合、上記制御部２１は、当該利用者が提示した記録媒体を返却し（ステップＳ３９）、当該利用者の出場を阻止（不許可）とする（ステップＳ４０）。また、上記ステップＳ３７あるいはステップＳ３８で出場を許可すると判定した場合、上記制御部２１は、当該利用者が提示した記録媒体に出場情報などの書き込み処理を行って返却し（ステップＳ３９）、当該利用者の出場を許可する（ステップＳ４０）。
【００６９】
たとえば、利用者が乗車券としてストアードフェアカードを提示している場合、上記ステップＳ３９の処理では、当該ストアードフェアカードに出場情報を書き込むとともに、当該ストアードフェアカードの残額から上記ステップＳ３７あるいはＳ３８で算出した金額を引き去る処理を行う。つまり、上記ステップＳ３７で出場を許可すると判定した場合、上記制御部２１は、入場駅から当該駅（出場駅）までの運賃から入場駅から再入場駅までの運賃を減算した金額を利用者が提示したストアードフェアカードの残額が引去る処理を行うとともに、当該利用者の通行を許可する。また、上記ステップＳ３８で出場を許可すると判定した場合、上記制御部２１は、再入場駅から当該駅（出場駅）までの運賃を利用者が提示したストアードフェアカードの残額が引去る処理を行うとともに、当該利用者の通行を許可する。
【００７０】
上記のように、本実施の形態では、特定の駅または改札口で出場した利用者が乗り継ぎ情報を取得して当該駅あるいは当該改札口で再入場（乗り継ぎ扱いで入場）する場合、当該駅あるいは当該改札口の自動改札機では、当該利用者の入場を乗り継ぎ扱いの再入場として処理するようにしたものである。これにより、利用者は、特定の駅または改札口での出入場を乗り継ぎ扱いとして利用することができる。この結果として、特定の駅または改札口での出入場に伴う様々なサービスを提供することができ、利用者の利便性を向上させることができる。
【００７１】
さらに、出場処理を行う自動改札機では、特定の駅や改札口で乗り継ぎ扱いとして再入場の処理が施された記録媒体を所持する利用者に対しては、乗り継ぎ扱いとする駅での出場時および入場時の処理を考慮して当該利用者に対する出場判定を行うようにしたものである。これにより、特定の駅や改札口における自動改札機での出入場を乗り継ぎ扱いとして処理することができ、出場時には特定の駅や改札口での出入場を乗り継ぎ扱いとした出場判定により出場処理を行うことができる。
【００７２】
また、乗車券としてストアードフェアカードを使用している利用者が特定の駅または改札口で出場した後に乗り継ぎ情報を取得して当該駅あるいは当該改札口で再入場する場合、当該駅あるいは当該改札口の自動改札機では、通常の入場時にストアードフェアカードからは初乗り運賃を引き去る運用形態であっても、当該利用者の入場を乗り継ぎ扱いの再入場として初乗り運賃を引き去ることなく再入場処理を行う。これにより、利用者は、特定の駅または改札口での出入場を乗り継ぎ扱いとして利用することができる。この結果として、特定の駅または改札口での再入場にかかる初乗りに伴う運賃分を減額するというサービスを提供して利用者の利便性を向上させることができる。
【００７３】
また、乗車券としてストアードフェアカードを使用している利用者が特定の駅または改札口で乗り継ぎ扱いで再入場した場合、出場駅での自動改札機では、乗り継ぎ扱いとする再入場駅での出場時および再入場時の処理内容を考慮し、入場駅、再入場駅および出場駅の経路に応じた運賃を算出し、その算出した運賃を当該ストアードフェアカードから引き去る処理を行うようにしたものである。これにより、出場駅の自動改札機で乗り継ぎ扱いとした再入場駅で引去った金額を考慮した適切な金額の精算処理を行うことができる。
【００７４】
なお、上記のような出場処理の結果を示す情報として、入場駅、再入場駅、出場駅および出場判定結果などの情報を自動改札機内のメモリや通信部２３を介して接続されいるホストコンピュータに蓄積しておくようにしても良い。この場合、上記のような出場処理の結果を示す情報により改札システム全体における利用状況などを解析するための情報として利用することができ、さらには、利用者の入場駅、再入場駅および出場駅などの情報に基づいて特定の駅で再入場を行った利用者がどのような経路を利用しているかを解析することができ、ダイヤ改定や運賃改定などにおける有益な判断材料とすることができる。
【図面の簡単な説明】
【００７５】
【図１】この発明の実施の形態に係る自動改札機及び改札システムが適用される鉄道の路線図の例を示す図である。
【図２】自動改札機の構成例を示すブロック図である。
【図３】百貨店改札口が設けられている百貨店隣接駅における自動改札機の設置例を示す図である。
【図４】Ａ電鉄とＢ電鉄とが乗り入れている百貨店隣接駅における自動改札機の設置例を示す図である。
【図５】百貨店隣接駅で百貨店を利用する利用者に対する改札システム全体としての処理例を説明するためのフローチャートである。
【図６】特定の駅あるいは改札口での自動改札機による再入場処理を説明するためのフローチャートである。
【図７】自動改札機による出場処理を説明するためのフローチャートである。
【符号の説明】
【００７６】
１０（１０Ａ、１０Ｂ、１０Ｃ、１０Ｄ）…自動改札機、２１…制御部、２２…メモリ、２３…通信部、２４…ＩＣカード処理部、２５…磁気券処理部、２６…通行制御部、２７…表示部
【図１】
0005127125.tif 000002
【図２】
0005127125.tif 000003
【図３】
0005127125.tif 000004
【図４】
0005127125.tif 000005
【図５】
0005127125.tif 000006
【図６】
0005127125.tif 000007
【図７】
0005127125.tif 000008